(57)【要約】      （修正有）【課題】構成簡単で、アクセス（作業）しにくい位置にも簡単に組み付けられる玉継手を得る。【解決手段】ソケット固定軸２を有するソケットハウジング１における半球状の玉受け溝４内に、玉ヘッド６を回動可能に配置し、玉受け溝４は、固定軸２に対して直交する向きに開口する差込口５，を経て外部に開通させ、この差込口５に玉ヘッド６の半径方向に延在する玉継手プラグ７を配置し、またロック素子１１により、玉ヘッド６に玉受け溝４内方に押圧力を加え、さらに差込口５領域を経て、自由可能にする。ソケットハウジング１には、差込口５の直径よりも小さく、玉継手プラグ７の直径よりも大きい幅を有する回動用溝孔８によって、差込口５を、固定軸２の延在方向とは反対方向に外部に開通させる。【選択図】図２
2007298173.tif 000002
【特許請求の範囲】
【請求項１】
とくに、ガスばねを取り付けるべき装置部分に関節連結するための玉継手であって、
ソケットハウジングに形成した半球状の玉受け溝内に回動可能に配置した玉ヘッドを備え、
前記ソケットハウジングには、前記玉受け溝の半径方向に延在する固定軸を設け、前記玉受け溝を、前記固定軸に対して直交する向きに開口する差込口を経て外部に開通させ、また、
前記玉ヘッドの半径方向に延在する玉継手プラグ、ならびにロック素子を備え、
このロック素子により、玉ヘッドの周りを把持可能であり、かつ玉受け溝の内方に押圧力を加える構成とし、さらにこのロック素子により、差込口領域を経て玉ヘッドが自由に移動可能にした該玉継手において、
前記ソケットハウジング（１）に、前記差込口（５，５´）の直径よりも小さく、前記玉継手プラグ（７）の直径よりも大きい幅を有する回動用溝孔（８）を設け、この回動用溝孔（８）によって、前記差込口（５，５´）を、前記固定軸（２）の延在方向とは反対方向に前記差込口（５，５´）のほぼ全体範囲にわたり、外部に開通させる構成としたことを特徴とする玉継手。
【請求項２】
前記差込口（５，５´）を円筒状にして前記玉受け窪み（４）に連続させ、さらに前記玉受け窪み（４）の直径を前記玉ヘッド（６）の直径と等しくした請求項１記載の玉継手。
【請求項３】
前記ロック素子をＣ字状のばねクリップ（１１）とし、このばねクリップ（１１）を、前記固定軸（２）の長手方向に直交し、前記差込口（５）とは反対側の側面で、前記ソケットハウジング（１）の周囲に掛合させ、また、このばねクリップ（１１）の遊端（１２）を、前記ソケットハウジング（１）に形成した貫通溝孔（１０）を経て、玉ヘッド（６）における玉受け窪み（４）とは反対側の側面に押圧力を加える構成とした請求項１または２記載の玉継手。
【請求項４】
ばねバンドで構成した前記ばねクリップ（１１）の横断面を長方形とし、前記貫通溝孔（１０）の横断面を、前記ばねバンドの横断面に対応させた請求項３記載の玉継手。
【請求項５】
前記ソケットハウジング（１）に、前記固定軸（２）とは反対側の端面側からの長手方向に延在し、外方に開口する導入溝孔（９）を設けた請求項３または４記載の玉継手。
【請求項６】
前記ソケットハウジング（１）の前記差込口（５）とは反対側の表面にロックカム（１４）を突出させ、これらロックカム（１４）の間に前記ばねクリップ（１１）を配置可能にした請求項３〜５のうちいずれか一項に記載の玉継手。
【請求項７】
前記差込口（５）の壁領域に、この差込口（５）の延在範囲にわたるばね舌片（１５）を設け、このばね舌片（１５）の一方の端部を前記玉受け窪み（４）の均分円領域で前記ソケットハウジング（１）に一体に連結し、ばね舌片（１５）の他方の端部である自由突出させた遊端には、前記差込口（５´）領域内に突出する張り出し部（１６）を設け、前記ばね舌片（１５）の、前記差込口（５´）と反対側でばね舌片（１５）に平行となるよう前記ソケットハウジング（１）に、溝孔（１７）を設け、前記ばね舌片（１５）を前記溝孔（１７）内に回動可能にし、また、この溝孔（１７）内には、抑止体（１８）を挿入可能にした請求項１記載の玉継手。
【請求項８】
前記溝孔（１７）を、前記ソケットハウジング（１）に貫通させた請求項７記載の玉継手。
【請求項９】
前記抑止体（１８）の横断面を、前記溝孔（１７）の横断面に対応させた請求項８記載の玉継手。
【請求項１０】
前記抑止体（１８）を、完全に前記溝孔（１７）内に挿入した位置であるブロック位置において係止可能とした請求項７〜９のうちいずれか一項に記載の玉継手。
【請求項１１】
前記抑止体（１８）を、その、前記ばね舌片（１５）が自由に回動可能となる部分的挿入位置において係止可能とした請求項７〜１０のうちいずれか一項に記載の玉継手。
【請求項１２】
前記抑止体（１８）を形状規制的に係止可能とした請求項１０または１１に記載の玉継手。
【請求項１３】
前記抑止体に、前記溝孔（１７）の延在方向に直交する向きに突出させた係止カム（２１）を設け、この係止カム（２１）は、ブロック位置または部分的挿入位置またはその双方の位置において、前記溝孔（１７）の壁に形成した係止溝内に弾性的に係止可能とした請求項１２記載の玉継手。
【請求項１４】
前記溝孔（１７）の、前記差込口（５´）とは反対側の前記係止溝を設けた領域により、前記溝孔（１７）の断面部分が、弾性的に変形できる構成とした請求項１３記載の玉継手。
【請求項１５】
前記溝孔（１７）の、ブロック位置における係止溝を設けた壁領域を、自由突出するばねアーム（２２）として構成し、このばねアーム（２２）の固定端部を、前記玉受け溝（４）の均分円領域に近接させて設けた請求項１４記載の玉継手。
【請求項１６】
前記抑止体（１８）に前記係止カム（２１）を設け、この係止カム（２１）を、ブロック位置を規定するブロック係止溝（１９）内に、また部分的挿入位置を規定するブロック解放係止溝（２０）内に係止可能とした請求項１３〜１５のうちいずれか一項記載の玉継手。
【請求項１７】
前記ソケットハウジング（１）、または前記玉ヘッド（６）、または前記抑止体（１８）、またはそのいずれかを合成材料製とした請求項１〜１６のうちいずれか一項記載の玉継手。
【請求項１８】
前記係止カム（２１）を、前記抑止体（１８）の一部として構成した請求項１７記載の玉継手。
【発明の詳細な説明】
【技術分野】
【０００１】
本発明は、特にガスばねを取り付けるべき装置部分に関節連結するための玉継手であって、ソケットハウジングに形成した半球状の玉受け溝内に、回動可能に配置した玉ヘッドを備え、前記ソケットハウジングには、前記玉受け溝の半径方向に延在する固定軸を設け、前記玉受け溝を、前記固定軸に対して直交する向きに開口する差込口を経て外部に開通させ、また、前記玉ヘッドの半径方向に延在する玉継手プラグ、およびロック素子を備え、このロック素子により、玉ヘッドの周りを把持可能であり、かつ玉受け溝の内方に押圧力を加える構成とし、さらにこのロック素子により、差込口領域を経て、玉ヘッドが自由に移動可能にした該玉継手に関する。
【０００２】
このような玉継手は、とくにガスばねを自動車に関節連結するのに使用し、このとき玉継手は、例えば、フラップ（リヤゲート、ボンネット）のような回動可能な部分の動作を助ける。
【背景技術】
【０００３】
この場合、既知の玉継手プラグを、ソケットハウジングの固定軸に対し直交する方向に延在させ、玉受け溝内に玉ヘッドを回動可能に配置するが、その回動角度は、僅かでしかない。
【０００４】
この構成では、玉継手プラグの届きにくい固定位置への組み付けは、困難、もしくは不可能である。
【発明の開示】
【発明が解決しようとする課題】
【０００５】
よって、本発明の課題は、明細書第１項に記載した玉継手であって、構成簡単であり、玉継手プラグを、アクセス（作業）しにくい固定位置にも簡単に組み付けることができる玉継手を得ることにある。
【課題を解決するための手段】
【０００６】
この課題を達成するため本発明玉継手は、ソケットハウジングに、差込口直径よりも小さく、玉継手プラグの直径よりも大きい幅を有する回動用溝孔を設け、この回動用溝孔によって、差込口を、固定軸の延在方向とは反対方向に、差込口のほぼ全体範囲にわたり、外部に開通させる構成としたことを特徴とする。
【発明の効果】
【０００７】
本発明のこの構成によれば、玉継手を装置部分に取り付ける際に、既に組み付け済みの玉継手における玉継手プラグを、ほぼ固定軸の長手方向に対応する向きの位置に調整でき、そのため、たとえば自動車の車体などの装置部分との連結が可能となる。
【０００８】
さらに、玉継手プラグには、簡単な方法でねじ山を設けることができ、例えば車体やフラップなどの板金に設けたドリル孔、もしくはねじ孔に垂直にねじ留めすることができる。この構成により、アクセスしにくい位置を固定位置とすることができる。
【０００９】
このとき、アングル部材を介しての固定は不要となる。
【発明を実施するための最良の形態】
【００１０】
差込口を円筒状にして、玉受け窪みに連続させ、さらに玉受け溝の直径を玉ヘッドの直径と等しくすることができる。
【００１１】
玉ヘッドを玉受け溝内に確実に保持する簡単な組み付け方法としては、ロック素子をＣ字状のばねクリップとし、このばねクリップを、固定軸の長手方向に直交し、差込口とは反対側の側面で、ソケットハウジングの周囲に掛合させ、また、このばねクリップの遊端を、ソケットハウジングに形成した貫通溝孔を経て、玉ヘッドにおける玉受け溝とは反対側の側面に押圧力を加える構成とするとよい。
【００１２】
このとき、好適には、ばねクリップは、横断面が長方形であるばねバンドで構成し、貫通溝孔の横断面を、ばねバンドの横断面に対応させる。
【００１３】
ばねクリップの組み付けを簡単にするために、ソケットハウジングに、固定軸とは反対側の端面側から長手方向に延在し、外方に開口する導入溝孔を設ける。
【００１４】
ばねクリップを、その組み付け位置に確実に保持する簡単な方法としては、ソケットハウジングの差込口とは反対側の表面にロックカムを突出させ、これらロックカムの間に前記ばねクリップを配置可能にする。
【００１５】
さらに、簡単な構成および簡単な組み付け作業で、玉ヘッドを玉受け溝に確実に保持する方法としては、差込口の壁領域に、この差込口の延在範囲にわたるばね舌片を設け、このばね舌片の一方の端部を玉受け溝の均分円領域でソケットハウジングに一体に連結し、ばね舌片の他方の端部である自由突出させた遊端には、差込口領域内に突出する張り出し部を設け、ばね舌片の、差込口と反対側でばね舌片に平行となるようソケットハウジングに、溝孔を設け、ばね舌片をこの溝孔内に回動可能にし、また、この溝孔内には、抑止体を挿入可能にする。
【００１６】
このとき、溝孔を、ソケットハウジングに貫通させると、製造簡単となる。
【００１７】
抑止体の横断面を、溝孔の横断面に対応させると、抑止体を溝孔内に強固の着座できる。
【００１８】
抑止体を、完全に溝孔内に挿入した位置であるブロック位置において係止可能とすることで、抑止体がブロック位置から外れるのを防ぐことができる。
【００１９】
抑止体を、その、ばね舌片が自由に回動可能となる部分的挿入位置において係止可能とすることで、抑止体が部分的挿入位置から外れるのを防ぐことができる。
【００２０】
好適には、抑止体は形状規制的に係止可能とする。
【００２１】
これは、抑止体に、溝孔の延在方向に直交する向きに突出させた係止カムを設け、この係止カムは、ブロック位置または部分的挿入位置またはその双方の位置において、溝孔の壁に形成した係止溝内に弾性的に係止可能とすることで、簡単に達成される。
【００２２】
このとき、溝孔の、差込口とは反対側の係止溝を設けた領域により、溝孔の断面部分が、弾性的に変形できる構成にすることもできる。
【００２３】
これは、溝孔の、ブロック位置における係止溝を設けた壁領域を、自由突出するばねアームとして構成し、このばねアームの固定端部を、玉受け溝の均分円領域に近接させて設け、抑止体に係止カムを設け、この係止カムを、ブロック位置を規定するブロック係止溝内に、また部分的挿入位置を規定するブロック解放係止溝内に係止可能とすることで簡単に達成できる。
【００２４】
構成部材を製造簡単なものにするため、ソケットハウジング、または玉ヘッド、または抑止体、またはそのいずれかを合成材料製とし、係止カムを、抑止体の一部として構成してもよい。
以下図面につき、本発明の好適な実施例を詳説する。
【実施例】
【００２５】
図示の玉継手は、固定軸２を備えたソケットハウジング１を有し、固定用軸２内には、ガスばねに固定するためのねじ孔３を軸線方向に設ける。
【００２６】
さらに、ソケットハウジング１には、固定軸2の長手方向に対して横向きに開口する半球状の玉受け窪み４を設け、この玉受け窪み４の内部空間は差込口５，５´を経て、固定軸2の長手方向に対して横向きに、外部に開通する。
【００２７】
玉受け窪み４内には、差込口５，５´から、同一直径の玉ヘッド６を着座させ、玉ヘッド６には、例えば自動車の車体などの構成部位に固定するよう半径方向外方に突出する玉継手プラグ７を設ける。
【００２８】
ソケットハウジング１には、さらに、回動用溝孔８を設け、この回動用溝孔８は、差込口５，５´を固定軸2の延在方向とは反対方向の外部に連続させる。
【００２９】
回動用溝孔８の幅は、玉ヘッド６の直径よりも小さく、玉継手プラグ７の直径にほぼ対応するように構成する。これにより、玉継手プラグ７は、差込口５，５´を経て外部に突出する位置から、少なくともほぼ固定軸2の延在方向とは反対方向に突出する位置に回動可能となる。
【００３０】
図１〜９に示す実施例において、差込口５は円筒状に構成し、その直径を玉ヘッド６の直径に対応させる。
【００３１】
固定軸２とは反対側の端面に向かって、回動用溝孔８の両側に、２個の導入溝孔９を対称的に延在させ、これら導入溝孔９の端部は、玉受け窪み４の中間高さにおける貫通溝孔１０に合流させる。これら貫通溝孔１０は、対称的に、互いに収斂するように形成し、玉受け窪み４と差込口５との間の遷移領域に開口させる。
【００３２】
ばねバンドで構成した、横断面が長方形であるＣ字状のばねクリップ１１には、互いに収斂するように形成した貫通溝孔１０に対応して互いに収斂するように形成した遊端１２を設け、ばねバンドの横断面を貫通溝孔１０の横断面に対応させ、また、ばねバンドの厚さを導入溝孔９の幅に対応させる。
【００３３】
ばねクリップ１１の組み付けの際には、その遊端１２をソケットハウジング１の端面側から、導入溝孔９を経て、貫通溝孔１０に導入すると、遊端１２は内方に移動し、ばねクリップ１１の遊端１２を連結する湾曲部分１３がソケットハウジング１に密着掛合する。
【００３４】
遊端１２の長さは、差込口５まで到達し、玉ヘッド６を玉受け窪み４に押し付けるような長さにする。
【００３５】
このばねクリップ１１の組み付け位置において、ばねクリップ１１の湾曲部分１３はソケットハウジング１の差込口５とは反対側の表面に突出させたロックカム１４の間に配置し、これらロックカム１４は、ばねクリップ１１がずれるのを阻止する。
【００３６】
図１〜３に示す本発明玉継手の実施例において、回動用溝孔８の延在範囲は、玉継手プラグ７が差込口５に同心状の位置から、回動用溝孔８において６５°回動できるように構成し、図４〜７に示す本発明玉継手の実施例においては、回動用溝孔８は、玉継手プラグ７が９０°回動できるように構成する。
【００３７】
図１０〜１５に示す本発明玉継手の実施例にける回動用溝孔８は、図４〜７に示す本発明玉継手の実施例における回動用溝孔８と同じ構成とする。
【００３８】
差込口５´は、ばね舌片１５の領域まで円筒状に構成する。
【００３９】
ばね舌片１５は、差込口５´の壁領域にわたって延在し、ばね舌片１５の一方の端部は、玉受け窪み４の均分円（赤道）領域で、ソケットハウジング１に一体に連結する。ばね舌片の他方の端部である自由に突出する遊端に、張り出し部１６を設け、この張り出し部１６を差込口５´の半径方向内方に突出させ、これにより玉ヘッド６が玉受け溝４に押し付けられる構成とする。
【００４０】
ばね舌片１５の、差込口５´とは反対側の側面には、ばね舌片１５に平行に、ソケットハウジング１に貫通する溝孔１７を設け、ばね舌片１５はこの溝孔１７内に回動可能となり、それに伴いフランジ１６は、差込口５´の外方に変位する。
【００４１】
この構成により、玉ヘッド６の組み付けもしくは取り外しを、差込口５´を通して実施可能となる。
【００４２】
張り出し部１６をにより玉受け窪み４内に組み付けた玉ヘッド６を固定するために、スライド式の抑止体１８を溝孔１７内に挿入可能とし、この抑止体１８により、ばね舌片１５が溝孔１７内に回動するのをブロックする。
【００４３】
溝孔１７のばね舌片１５と反対側の壁には、溝孔１７の一方の端部領域におけるブロック係止溝１９と、溝孔１７の中間領域におけるブロック解放係止溝２０とを設ける。
【００４４】
抑止体１８には、逆鉤状の弾性的に変形可能な係止カム２１を設け、この係止カム２１は、溝孔１７内に完全に挿入したブロック位置（図１４および１５参照）において、ブロック係止溝１９内に係止し、また、抑止体１８を溝孔１７から半分外部に引き出した部分的挿入位置（図１０〜１３参照）において、ブロック解放係止溝２０内に、ばね弾性で係止する。
【００４５】
部分的挿入位置において、ばね舌片１５は、溝孔１７内に回動可能である。
【００４６】
係止カム２１をブロック係止溝１９から取り出せるように、溝孔１７の差込口５´ とは反対側のブロック係止溝１９を有する壁を、自由突出するばねアーム２２として構成し、このばねアーム２２の固定端部は玉受け窪み４のほぼ中間領域に設ける。
【００４７】
ばねアーム２２の回動により、係止カム２１は解放され、抑止体１８はブロック位置から部分的挿入位置へと移動できる。
【００４８】
このとき、ブロック係止溝１９とブロック解放係止溝２０との間で抑止体１８を簡単に移動できるようにするため、溝２３を溝孔１７の壁に構成し、この溝２３内に係止カム２１が自由に移動可能にする。
【図面の簡単な説明】
【００４９】
【図１】本発明の第１実施例であり、回動可能範囲を６０°とした玉継手における、玉継手プラグを固定軸に対し直交する向きにした状態の斜視図である。
【図２】図１に示す本発明玉継手の縦断面図である。
【図３】図１に示す本発明玉継手における、玉継手プラグを直交向き位置から最大回動可能角度まで回動した状態の縦断面図である。
【図４】本発明の第２実施例であり、回動可能範囲を９０°とした玉継手における、玉継手プラグを固定軸に対し直交する向きにした状態の斜視図である。
【図５】図４に示す本発明玉継手の縦断面図である。
【図６】図４に示す本発明玉継手における、玉継手プラグを最大回動可能角度まで傾けた状態の縦断面図である。
【図７】図４に示す本発明玉継手のソケットハウジングを差込口の開口側から見た底面図である。
【図８】図４に示す本発明玉継手のばねクリップを開口側から見た底面図である。
【図９】図８に示す本発明玉継手のばねクリップの側面図である。
【図１０】本発明の第３実施例であり、回動可能範囲を９０°とした玉継手における、玉継手プラグを固定軸に対し直交する向きにした状態の斜視図である。
【図１１】図１０に示す本発明玉継手における、抑止体が部分的挿入位置にある状態の縦断面図である。
【図１２】図１０に示す本発明玉継手における、玉継手プラグを最大回動可能角度まで傾けた状態の縦断面図である
【図１３】図１０に示す本発明玉継手における、抑止体が部分的挿入位置にある状態のソケットハウジング断面を示す斜視図である。
【図１４】図１０に示す本発明玉継手における、抑止体がブロック位置にある状態のソケットハウジングの断面を示す斜視図である。
【図１５】図１０に示す本発明玉継手における、抑止体がブロック位置にある状態のソケットハウジングの斜視図である。
【符号の説明】
【００５０】
１  ソケットハウジング
２  固定軸
３  ねじ孔
４  玉受け窪み
５  差込口
６  玉ヘッド
７  玉継手プラグ
８  回動用溝孔
９  案内用切込み
１０  貫通溝孔
１１  ばねクリップ
１２  遊端
１３  湾曲部分
１４  ロックカム
１５  ばね舌片
１６  張り出し部
１７  溝孔
１８  抑止体
１９  ブロック係止溝
２０  ブロック解放係止溝
２１  係止カム
２２  ばねアーム
２３  溝
【図１】
2007298173.tif 000003
【図２】
2007298173.tif 000004
【図３】
2007298173.tif 000005
【図４】
2007298173.tif 000006
【図５】
2007298173.tif 000007
【図６】
2007298173.tif 000008
【図７】
2007298173.tif 000009
【図８】
2007298173.tif 000010
【図９】
2007298173.tif 000011
【図１０】
2007298173.tif 000012
【図１１】
2007298173.tif 000013
【図１２】
2007298173.tif 000014
【図１３】
2007298173.tif 000015
【図１４】
2007298173.tif 000016
【図１５】
2007298173.tif 000017